【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
クロスシリンダテスト用の視標を被検眼に投影する光学系と、
前記光学系の光軸上に配置され、所定の乱視度数を発生させた状態で乱視軸角度を切り換えて前記視標の一対の投影像を形成するクロスシリンダレンズと、
前記視標の一対の投影像の見え具合の比較結果を入力するための操作手段と、
前記クロスシリンダレンズの乱視軸角度に基づいて被検眼の乱視軸角度を測定する測定手段と、を有する検眼装置であって、
前記乱視軸角度の他覚値からの変位量と前記乱視度数の他覚値の対応関係を記憶する記憶手段と、
前記記憶手段に記憶された対応関係から、事前に測定された被検眼の乱視度数の他覚値に対応する乱視軸角度の他覚値からの変位量を取得し、前記乱視軸角度の他覚値を前記取得された前記変位量だけ変位させて、前記一対の投影像の一方を明瞭に視認させ、他方をぼやけた状態で視認させるための前記クロスシリンダレンズの乱視軸角度を求め、乱視軸角度測定における初期値として設定する初期値設定手段を備え、
前記操作手段からの入力に基づいて、前記クロスシリンダレンズの乱視軸角度を、前記初期値から開始して変化させる制御手段と、
を備えることを特徴とする検眼装置。
【請求項２】
前記記憶手段は、前記乱視軸角度の他覚値からの変位量を、あらかじめ前記乱視度数の他覚値に対応させて記憶することを特徴とする請求項１に記載の検眼装置。
【請求項３】
前記初期値に設定されたときの前記一対の投影像の見え具合の比較に基づいて前記操作手段から入力された方向が、あらかじめ設定された方向と異なるか否かを判定し、異なる場合にエラーを通知する判定手段を更に備えることを特徴とする請求項１又は請求項２に記載の検眼装置。
【請求項４】
前記制御手段は、前記操作手段によって入力された方向が、前記事前に設定された方向と同じときに、前記クロスシリンダレンズを制御して乱視軸角度を変化させることを特徴とする請求項１ないし請求項３のいずれか一項に記載の検眼装置。
【請求項５】
前記乱視度数の他覚値に基づいて、前記被検眼の乱視軸角度測定における許容誤差を設定する誤差設定手段を更に備え、
前記制御手段は、前記被検眼の乱視軸角度の測定誤差を前記許容誤差以内にするように、前記クロスシリンダレンズを制御して乱視軸角度を変化させる、
ことを特徴とする請求項４に記載の検眼装置。
【請求項６】
前記許容誤差は、前記乱視度数及び乱視軸角度の他覚値が補正された状態から乱視軸角度を変位させるときに発生する残余乱視が第１の所定範囲内となり、かつ、前記乱視度数及び乱視軸角度の他覚値と前記補正を行う矯正レンズの乱視度数及び乱視軸角度とが合成されて発生する球面度数の変位量が第２の所定範囲内となるように設定されることを特徴とする請求項５に記載の検眼装置。
【請求項７】
前記残余乱視についての前記第１の所定範囲は−０．２５ディオプタ以内とされ、前記球面度数の変位量についての前記第２の所定範囲は±０．２５ディオプタ未満とされることを特徴とする請求項６に記載の検眼装置。
【請求項８】
前記制御手段は、複数の段階にわたって前記クロスシリンダの乱視軸角度を変化させ、乱視軸角度測定の所定の段階以降における前記クロスシリンダレンズの乱視度数を、前記所定の段階よりも前の段階における前記乱視度数よりも小さな値に変更することを特徴とする請求項４ないし請求項７のいずれか一項に記載の検眼装置。
【請求項９】
前記記憶手段に記憶される対応関係によると、前記乱視度数の他覚値の絶対値が大きくなるのにしたがって、前記乱視軸角度の他覚値からの変位量が小さくなることを特徴とする請求項１ないし請求項８のいずれか一項に記載の検眼装置。
【手続補正２】
【補正対象書類名】明細書
【補正対象項目名】０００８
【補正方法】変更
【補正の内容】
【０００８】
上記目的を達成するために、請求項１に記載の発明は、クロスシリンダテスト用の視標を被検眼に投影する光学系と、前記光学系の光軸上に配置され、所定の乱視度数を発生させた状態で乱視軸角度を切り換えて前記視標の一対の投影像を形成するクロスシリンダレンズと、前記視標の一対の投影像の見え具合の比較結果を入力するための操作手段と、前記クロスシリンダレンズの乱視軸角度に基づいて被検眼の乱視軸角度を測定する測定手段と、を有する検眼装置であって、前記乱視軸角度の他覚値からの変位量と前記乱視度数の他覚値の対応関係を記憶する記憶手段と、前記記憶手段に記憶された対応関係から、事前に測定された被検眼の乱視度数の他覚値に対応する乱視軸角度の他覚値からの変位量を取得し、前記乱視軸角度の他覚値を前記取得された前記変位量だけ変位させて、前記一対の投影像の一方を明瞭に視認させ、他方をぼやけた状態で視認させるための前記クロスシリンダレンズの乱視軸角度を求め、乱視軸角度測定における初期値として設定する初期値設定手段を備え、前記操作手段からの入力に基づいて、前記クロスシリンダレンズの乱視軸角度を、前記初期値から開始して変化させる制御手段と、を備えることを特徴とする。
【手続補正３】
【補正対象書類名】明細書
【補正対象項目名】０００９
【補正方法】変更
【補正の内容】
【０００９】
また、請求項２に記載の発明は、請求項１に記載の検眼装置であって、前記記憶手段は、前記乱視軸角度の他覚値からの変位量を、あらかじめ前記乱視度数の他覚値に対応させて記憶することを特徴とする。
【手続補正４】
【補正対象書類名】明細書
【補正対象項目名】００１０
【補正方法】変更
【補正の内容】
【００１０】
また、請求項３に記載の発明は、請求項１又は請求項２に記載の検眼装置であって、前記初期値に設定されたときの前記一対の投影像の見え具合の比較に基づいて前記操作手段から入力された方向が、あらかじめ設定された方向と異なるか否かを判定し、異なる場合にエラーを通知する判定手段を更に備えることを特徴とする。
【手続補正５】
【補正対象書類名】明細書
【補正対象項目名】００１１
【補正方法】変更
【補正の内容】
【００１１】
また、請求項４に記載の発明は、請求項１ないし請求項３のいずれか一項に記載の検眼装置であって、前記制御手段は、前記操作手段によって入力された方向が、前記事前に設定された方向と同じときに、前記クロスシリンダレンズを制御して乱視軸角度を変化させることを特徴とする。
【手続補正６】
【補正対象書類名】明細書
【補正対象項目名】００１２
【補正方法】変更
【補正の内容】
【００１２】
また、請求項５に記載の発明は、請求項４に記載の検眼装置であって、前記乱視度数の他覚値に基づいて、前記被検眼の乱視軸角度測定における許容誤差を設定する誤差設定手段を更に備え、前記制御手段は、前記被検眼の乱視軸角度の測定誤差を前記許容誤差以内にするように、前記クロスシリンダレンズを制御して乱視軸角度を変化させる、ことを特徴とする。
【手続補正７】
【補正対象書類名】明細書
【補正対象項目名】００１５
【補正方法】変更
【補正の内容】
【００１５】
また、請求項８に記載の発明は、請求項４ないし請求項７のいずれか一項に記載の検眼装置であって、前記制御手段は、複数の段階にわたって前記クロスシリンダの乱視軸角度を変化させ、乱視軸角度測定の所定の段階以降における前記クロスシリンダレンズの乱視度数を、前記所定の段階よりも前の段階における前記乱視度数よりも小さな値に変更することを特徴とする。また、請求項９に記載の発明は、請求項１ないし請求項８のいずれか一項に記載の検眼装置であって、前記記憶手段に記憶される対応関係によると、前記乱視度数の他覚値の絶対値が大きくなるのにしたがって、前記乱視軸角度の他覚値からの変位量が小さくなることを特徴とする。